(57)【要約】【課題】  装置を一々止めたり、難しい操作を要することなく、炎感知器の監視範囲とその中心とを同時に視覚的に確認することができるようにする。【解決手段】  炎感知器の正面に対して垂直方向に光を照射する光源１５を、炎感知器又はその取付ベースに外嵌する本体ケース内に固定する。一方、光源１５の光の照射方向の前方に、当該炎感知器の監視範囲に合わせて所定角度に傾斜させた分光手段２８を配置する。該分光手段２８を回転させ、光源１５からの光を、透過させて監視範囲の中心を照射する光と、反射させて監視範囲を照射する光とに分光する。【選択図】図６
2006065441.tif 000002
【特許請求の範囲】
【請求項１】
炎感知器の取付位置において、炎感知器の正面に対して垂直方向に光を照射する光源と、該光源の光の照射方向の前方に配置し、用いる炎感知器の監視範囲に合わせて所定角度に傾斜させた分光手段とを用い、該分光手段を回転させて、前記光源から照射する光を、透過させて監視範囲の中心を照射する光と、反射させて監視範囲を照射する光とに分光させ、前記光源から照射する光によって監視範囲とその中心とを同時に確認するようになしたことを特徴とする炎感知器の監視範囲の確認方法。
【請求項２】
光源がレーザーユニットである請求項１記載の炎感知器の監視範囲の確認方法。
【請求項３】
分光手段がハーフミラーである請求項１又は２記載の炎感知器の監視範囲の確認方法。
【請求項４】
炎感知器又はその取付ベースに外嵌する本体ケースと、該本体ケース内に固着したモータと、前記本体ケース内において、炎感知器の正面に対して垂直方向に光を照射するように取着した光源と、前記本体ケース内において、炎感知器の正面と平行して回転するように取り付け、前記モータを駆動源として回転せしめる回転支持体と、該回転支持体の頂部に取り付け、分光手段を、前記光の照射方向の前方において炎感知器の監視範囲に合わせて所定角度に傾斜させて保持する分光手段保持体と、該分光手段保持体をもって保持する、前記光源からの光を、透過させて監視範囲の中心を照射する光と、反射させて監視範囲を照射する光とに分光する分光手段とからなる炎感知器の監視範囲の確認装置。
【請求項５】
分光手段を俯仰角度調節可能となした請求項４記載の炎感知器の監視範囲の確認装置。
【請求項６】
光源がレーザーユニットである請求項４又は５記載の炎感知器の監視範囲の確認装置。
【請求項７】
分光手段がハーフミラーである請求項４、５又は６記載の炎感知器の監視範囲の確認装置。
【発明の詳細な説明】
【技術分野】
【０００１】
本発明は炎感知器の監視範囲の確認方法及びそれに用いる装置に関するものである。
【背景技術】
【０００２】
【特許文献１】特開２００２−  ８３３７９号公開公報
【特許文献２】特開２００１−２６４１６０号公開公報
【０００３】
天井や壁面に取り付けられた炎感知器の監視範囲とその中心とを光によって確認する方法及び装置として、特許文献１に記載のものがある。また、炎感知器の監視範囲の中心を光によって確認する装置として、特許文献２に記載のものがある。これらの装置は、炎感知器の監視範囲又はその中心を視覚的に把握することができるから、確認作業が捗り、また従来の如く仰向いて作業する場合における作業者の負担の軽減を図ることができるという利点がある。
【０００４】
ところで、通常、炎感知器は監視範囲の中心において最も検出感度が良く、炎感知器を設置する際は監視対象物が監視範囲の中心に位置するように調整を行う。したがって、炎感知器の監視範囲の中心を確認することは大事なことである。
【０００５】
特許文献１に記載の方法及び装置によると、炎感知器の監視範囲の確認と併せて監視範囲の中心を確認することもできる。即ち、特許文献１の記載の方法及び装置は、光源（レーザーポインタ）の角度を変えることによって感知器の監視範囲の中心を確認することもできるようになっているが、そのためには一々光源（レーザーポインタ）の回転を止めて、その角度を変える作業が必要であり、面倒であるという問題点がある。
【０００６】
また、特許文献２に記載の装置は、炎感知器の監視範囲の中心を確認するものであり、したがって、監視範囲を直接確認することはできない。また、レーザーポインタの照射角度の調整は、レーザーポインタの筒体内における位置を複数のねじで押し引きして行うものであるから、操作が難しいという問題点もある。
【発明の開示】
【発明が解決しようとする課題】
【０００７】
本発明は上記の点に鑑みなされたものであって、装置を一々止めたり、難しい操作を要することなく、監視範囲とその中心を同時に視覚的に確認することができるようになした炎感知器の監視範囲の確認方法並びに該方法において用いる装置を提供せんとするものである。
【課題を解決するための手段】
【０００８】
而して、本発明の要旨とするところは、炎感知器の取付位置において、炎感知器の正面に対して垂直方向に光を照射する光源と、該光源の光の照射方向の前方に配置し、用いる炎感知器の監視範囲に合わせて所定角度に傾斜させた分光手段とを用い、該分光手段を回転させて、前記光源から照射する光を、透過させて監視範囲の中心を照射する光と、反射させて監視範囲を照射する光とに分光させ、前記光源から照射する光によって監視範囲とその中心とを同時に確認するようになしたことを特徴とする炎感知器の監視範囲の確認方法にある。
【０００９】
また、上記方法において光源としては、例えば半導体レーザーのようなレーザーユニットを用いることが望ましい。またレーザーポインタを用いてもよい。また分光手段としてはハーフミラーを用いることが望ましい。
【００１０】
また、上記方法において用いる装置は、炎感知器又はその取付ベースに外嵌する本体ケースと、該本体ケース内に固着したモータと、前記本体ケース内において、炎感知器の正面に対して垂直方向に光を照射するように取着した光源と、前記本体ケース内において、炎感知器の正面と平行して回転するように取り付け、前記モータを駆動源として回転せしめる回転支持体と、該回転支持体の頂部に取り付け、分光手段を、前記光の照射方向の前方において炎感知器の監視範囲に合わせて所定角度に傾斜させて保持する分光手段保持体と、該分光手段保持体をもって保持する、前記光源からの光を、透過させて監視範囲の中心を照射する光と、反射させて監視範囲を照射する光とに分光する分光手段とをもって構成するものである。
【００１１】
また、上記装置において分光手段を俯仰角度調節可能となしてもよい。この場合には一台でもって設置する炎感知器の高さや照射角度によって監視範囲が異なる場合の確認作業や監視範囲の異なる数種の炎感知器に対応する確認作業を行うことができる。
【００１２】
また、上記装置において光源としてはレーザーユニットを用いることが望ましく、また分光手段としてはハーフミラーを用いることが望ましい。
【発明の効果】
【００１３】
請求項１に係る本発明方法によれば、装置を一々止めたり、難しい操作を要することなく、炎感知器の監視範囲とその中心を同時に視覚的に確認することができるものである。
【００１４】
また、請求項４に係る確認装置によれば、請求項１に係る発明方法を効率よく実施することができる。そして、該装置において分光手段を俯仰角度調節可能となした場合には、一台でもって設置する炎感知器の高さや照射角度によって監視範囲が異なる場合の確認作業や監視範囲の異なる数種の炎感知器に対応する確認作業を行うことができるものである。また、光源としてレーザーユニットを用いる場合には、天井から床面迄の距離が遠い場合でも光が充分に届き、また入手価格が安価であるから、コストダウンを図ることができるものである。
【発明を実施するための最良の形態】
【００１５】
本発明を実施するための最良の形態は、炎感知器の正面に対して垂直方向に光を照射するレーザーユニットを、炎感知器又はその取付ベースに外嵌する本体ケース内に固定する一方、該レーザーユニットの光の照射方向の前方に、当該炎感知器の照射範囲に合わせて所定角度に傾斜させたハーフミラーを配置し、該ハーフミラーを回転させるものである。そして、該ハーフミラーをもってレーザーユニットからの光を、透過させて監視範囲の中心を照射する光と、反射させて監視範囲を照射する光とに分光し、もって炎感知器の監視範囲とその中心とを同時に視覚的に確認することができるようになしたことにある。
【実施例】
【００１６】
以下、本発明の実施例について説明する。
図１は炎感知器の監視範囲の確認方法の説明図、図２は原理説明図である。
【００１７】
図中、１は建物であり、１ａは天井、１ｂは側壁、１ｃは床面である。２、３、４は天井１ａに取り付けた炎感知器である。尚、これら炎感知器のうちの一つの炎感知器２は側壁１ｂに近いことから若干角度をつけている。
【００１８】
５、６、７は後記監視範囲の確認装置であり、本体ケースを各炎感知器２、３、４に外嵌してそれらに取り付けている。また、該確認装置５、６、７は、後に詳述するが、炎感知器の正面に対して垂直方向に光を照射する光源と、該光源の光の照射方向の前方に配置し、用いる炎感知器の監視範囲に合わせて所定角度に傾斜させた分光手段とをもって構成するものである。尚、光源としてはレーザーユニットを用い、また分光手段としてはハーフミラーを用いる。そして、光源であるレーザーユニットから光を照射すると共に、分光手段であるハーフミラーを炎感知器の正面と平行して回転させるものである。
【００１９】
図２にはこの状態を示しており、レーザーユニットから照射された光は、その一部はハーフミラーを透過して監視範囲の中心を照射する光となり、またその他は傾斜角度に応じて反射して監視範囲を照射する光となる。そして、このハーフミラーに反射した光は円を描くように床面１ｃ又は側壁１ｂを照射し、このときの照射点の軌跡が各炎感知器の監視範囲と一致するものである。これらにより、床面１ｃ又は側壁１ｂの照射点を目視することによって各炎感知器の監視範囲とその中心とを同時に確認することができるものである。尚、５ａ、６ａ、７ａは炎感知器２、３、４の監視範囲を示し、また５ｂ、６ｂ、７ｂは夫々の監視範囲の中心を示す。
【００２０】
次に、図３乃至図６に示した上記方法に用いる装置について説明する。
図３は下部側から看た斜視図、図４は上部側から看た斜視図、図５は本体ケースから外した状態の光源と分光手段部分の斜視図、図６は一部切欠して示した本体ケースから外した状態の光源と分光手段部分の斜視図である。
【００２１】
８は炎感知器又はその取付ベースに外嵌する本体ケースである。また、該本体ケース８は、本実施例では四角の箱形をしており、炎感知器を嵌合する内部の広さは、それを取り付ける炎感知器に適合させている。また、下部中央には後記分光手段保持体と分光手段とが突出する円形の窓孔９を設けている。更にまた、該窓孔９を囲むように円筒形のカバー１０を突設している。
【００２２】
１１は前記本体ケース８内にねじ止めした支承板、１２は該支承板１１上に後記支持板をもって固定した台板である。１３は前記本体ケース８内に固着したモータであり、後記回転支持体の回転駆動源となるものである。また、該モータ１３は本体ケース８内に設けたバッテリーボックス（図示せず。）に収容した電池（図示せず。）を電源とするものであり、１４は該モータ１３の作動用スイッチである。尚、図示はしないが、モータ１３の回転及び停止や回転速度を制御する手段を設け、そしてこれを遠隔から操作するようにしてもよい。
【００２３】
１５は前記本体ケース１内において、炎感知器の正面に対して垂直方向に光を照射するように取着した光源であり、本実施例では直線状の光を照射するレーザーユニットを用いている。また、該光源１５は、前記台板１２に固着し、その中心が炎感知器の受光部の中心と一致するようになしている。
【００２４】
１６は前記本体ケース８内において、炎感知器の正面と平行して回転するように取り付け、前記モータ１３を駆動源として回転せしめられる筒状の回転支持体である。また、該回転支持体１６は、前記台板１２の上面において前記光源１５を囲むようにして設けた軸受１７をもって回転自在に取り付けられている。
【００２５】
また、前記回転支持体１６には大歯車１８を固着し、該大歯車１８を、中間歯車１９、２０を介して前記モータ１３の回転軸１３ａに固着した歯車２１に噛合させている。
【００２６】
２２は前記支承板１１上にネジ２２Ａをもって固定した、垂直部２２ａと水平部２２ｂとからなる支持板であり、前記台板１２と前記モータ１３と前記歯車１９、２０の回転軸２３とを支承するものである。また、該支持板２２の水平部２２ｂには、後記分光手段保持体と分光手段とが突出する切欠部２２Ｂを設けている。
【００２７】
２４は前記回転支持体１６の頂部に取り付けた分光手段保持体である。また、該分光手段保持体２４は、一対の対立設した支承板２４ａ、２４ａと、該支承板２４ａ、２４ａの内側において支軸２５をもって俯仰角度調節可能に取り付けた支持板２４ｂ、２４ｂとからなるものである。また、前記支軸２５の端面には後記分光手段の傾斜角度を示すための矢標２６を表示し、また一方、前記支承板２４ａ、２４ａには角度目盛２７を表示している。
【００２８】
２８は前記分光手段保持体２４をもって保持される分光手段であり、本実施例ではハーフミラーを用いている。また、該分光手段２８は、前記光源１５の光の照射方向の前方において炎感知器の監視範囲に合わせて所定角度に傾斜させている。該分光手段２８は、前記光源１５からの光を、透過させて監視範囲の中心を照射する光と、反射させて監視範囲を照射する光とに分光するものである。
【００２９】
次に、本装置の作用について説明する。
先ず、本体ケース８を炎感知器又はその取付ベースに外嵌する。そして光源１５とモータ１３のスイッチを入れて作動状態とする。これによって分光手段２８は当該炎感知器の監視範囲に合わせた傾斜角度において回転する。そして、光源１５からの光は、その一部が該分光手段２８を透過して監視範囲の中心を照射すると共に、分光手段２８によって反射された光は円を描くように床面又は側壁を照射する。このときの照射点の軌跡が当該炎感知器の監視範囲と一致するから、これを目視することにより監視範囲を確認することができるものである。よって、炎感知器の監視範囲とその中心とを同時に視覚的に確認することができるものである。
【００３０】
また、台板１２、モータ１３等を支承する支持板２２は、支承板１１上にネジ２２Ａをもって固定してなるものであるから、本体ケース８が、それを嵌合しようとする、即ち確認しようとする炎感知器の外径に適合しない場合には、該支持板２２を支承板１１から一旦外し、確認しようとする炎感知器に適合する大きさの本体ケースにおける支承板上にセットしなおすことによって、本体ケースを適合するものに取り換えることができるものである。
【００３１】
本発明は炎感知器の監視範囲の確認方法及び確認装置であるが、炎を検出して火災を報知する炎検知器などの種々の赤外線検出器の監視範囲の確認方法及び監視装置に利用でき、本発明を逸脱しない範囲で適宜適用可能である。
【図面の簡単な説明】
【００３２】
【図１】本発明に係る炎感知器の監視範囲の確認方法の説明図である。
【図２】本発明の原理説明図である。
【図３】本発明に係る炎感知器の監視範囲の確認装置の下部側から看た斜視図である。
【図４】図３に示した装置の上部側から看た斜視図である。
【図５】本体ケースから外した状態の光源と分光手段部分の斜視図である。
【図６】一部切欠して示した本体ケースから外した状態の光源と分光手段部分の斜視図である。
【符号の説明】
【００３３】
１  建物
５、６、７  監視範囲の確認装置
８  本体ケース
１１  支承板
１３  モータ
１５  光源
１６  回転支持体
１７  軸受
２４  分光手段保持体
２８  分光手段
【図１】
2006065441.tif 000003
【図２】
2006065441.tif 000004
【図３】
2006065441.tif 000005
【図４】
2006065441.tif 000006
【図５】
2006065441.tif 000007
【図６】
2006065441.tif 000008